(57)【要約】【課題】遮光部材の貼り付け作業を不要とし、しかも、美観の向上を図りつつテープ端の誤検出に起因するエラーの発生を回避し得るカートリッジケースを提供する。【解決手段】互いに嵌め合わせが可能な一対の下シェル１１および上シェル１２を備えて磁気テープ９（テープ状情報媒体）を収容する収容空間Ｓ１を構成するケース本体３を備え、一対のシェル１１，１２のうちの少なくとも一方（一例として、上シェル１２）は、波長９００ｎｍの赤外線の透過率が０％以上５０％以下の範囲内で、波長６００ｎｍの可視光線の透過率が３５％以上９０％以下の範囲内となるように樹脂材料で形成されている。【選択図】図１
2008059710.tif 000002
【特許請求の範囲】
【請求項１】
互いに嵌め合わせが可能な一対のシェルを備えてテープ状情報媒体を収容する収容空間を構成するケース本体を備え、
前記一対のシェルのうちの少なくとも一方は、波長９００ｎｍの赤外線の透過率が０％以上５０％以下の範囲内で、波長６００ｎｍの可視光線の透過率が３５％以上９０％以下の範囲内となるように樹脂材料で形成されているカートリッジケース。
【請求項２】
請求項１記載のカートリッジケースにおける前記収容空間に前記テープ状情報媒体が収容されているテープカートリッジ。
【発明の詳細な説明】
【技術分野】
【０００１】
本発明は、一対のシェルを有するケース本体内にテープ状情報媒体を収容可能に構成されたカートリッジケース、およびそのカートリッジケース内にテープ状情報媒体が収容されたテープカートリッジに関するものである。
【背景技術】
【０００２】
この種のテープカートリッジとして、ＶＨＳ型ビデオ用テープカートリッジ（以下、「テープカートリッジ」ともいう）が特開２００１−２６６５３０号公報に開示されている。このテープカートリッジは、録画用（記録用）の磁気テープ（ビデオテープ）がテープリールに巻回された状態で本体ケース内に収容されて構成されている。この場合、このテープカートリッジでは、本体ケースを構成する上ケースおよび下ケースの双方が光透過性を有する樹脂材料を用いて形成されている。したがって、本体ケース内に収容されているリール（テープ）のケース外からの視認が可能となっている。また、このテープカートリッジでは、テープ端を光学的に検出するタイプの記録再生装置によって本体ケースを透過した光（本体ケース内に侵入した光）に起因するテープ端の誤検出を回避するために、テープ端検出用の光路を臨む本体ケースの内壁面に遮光部材が貼り付けられて光路への外光の浸入が阻止されている。
【特許文献１】特開２００１−２６６５３０号公報（第２−３頁、第１−３図）
【発明の開示】
【発明が解決しようとする課題】
【０００３】
ところが、従来のテープカートリッジには、以下の問題点がある。すなわち、従来のテープカートリッジでは、本体ケースを透過した光に起因してテープ端が誤って検出されてエラーが生じる事態を回避すべく、本体ケースの内壁面に遮光部材を貼り付けて外光の侵入を阻止する構成が採用されている。したがって、従来のテープカートリッジには、その製造時において本体ケースの内壁面に遮光部材を貼り付ける作業が煩雑であるという問題点がある。また、従来のテープカートリッジでは、光透過性を有する樹脂材料を用いて本体ケースを形成することで、その美観の向上を図ろうとしているにも拘わらず、内壁面に貼り付けた遮光部材がケースの外から視認できるため、遮光部材の存在に起因して、その美観が大きく低下しているという問題点もある。
【０００４】
本発明は、かかる問題点に鑑みてなされたものであり、遮光部材の貼り付け作業を不要とし、しかも、美観の向上を図りつつテープ端の誤検出に起因するエラーの発生を回避し得るカートリッジケースおよびテープカートリッジを提供することを主目的とする。
【課題を解決するための手段】
【０００５】
上記目的を達成すべく、本発明に係るカートリッジケースは、互いに嵌め合わせが可能な一対のシェルを備えてテープ状情報媒体を収容する収容空間を構成するケース本体を備え、前記一対のシェルのうちの少なくとも一方は、波長９００ｎｍの赤外線の透過率が０％以上５０％以下の範囲内で、波長６００ｎｍの可視光線の透過率が３５％以上９０％以下の範囲内となるように樹脂材料で形成されている。
【０００６】
また、本発明に係るテープカートリッジは、上記のカートリッジケースにおける前記収容空間に前記テープ状情報媒体が収容されている。
【発明の効果】
【０００７】
本発明に係るカートリッジケースによれば、波長９００ｎｍの赤外線の透過率が０％以上５０％以下の範囲内で、波長６００ｎｍの可視光線の透過率が３５％以上９０％以下の範囲内となるように一対のシェルのうちの少なくとも一方を樹脂材料で形成したことにより、可視光線の透過率を高くしたことでカートリッジケースの透明感を向上させて美観を十分に向上させることができるばかりでなく、赤外線の透過率を低下させたことでカートリッジケース内への赤外線の侵入が阻止される結果、記録再生処理時にテープ端が誤検出される事態を回避して安定した記録再生を行うことができる。また、遮光部材を貼付する煩雑な作業が不要となる分だけ、カートリッジケースの製造コストを低減することができると共に、カートリッジケース内に遮光部材を貼付した従来のテープカートリッジよりも、その美観を十分に向上させることができる。
【０００８】
また、本発明に係るテープカートリッジによれば、上記のカートリッジケースにおける収容空間にテープ状情報媒体を収容して構成したことにより、テープ状情報媒体に対して安定した記録再生が可能なテープカートリッジを提供することができる。
【発明を実施するための最良の形態】
【０００９】
以下、添付図面を参照して、本発明に係るカートリッジケースおよびテープカートリッジの最良の形態について説明する。
【００１０】
図１に示すテープカートリッジ１は、本発明に係るカートリッジケースを備えたカートリッジ型の情報媒体の一例であって、カートリッジケース２の内部（収容空間Ｓ１）に磁気テープ９が収容されて構成されている。カートリッジケース２は、ケース本体３、フロントリッド４ａ、アッパーリッド４ｂ、インナーリッド４ｃ、リール５、リールブレーキ６、光カバー７および誤消去防止プラグ８を備えている。ケース本体３は、本発明における一対のシェルに相当する下シェル１１および上シェル１２を備え、両シェル１１，１２を互いに嵌め合わせることによって磁気テープ９を収容する収容空間Ｓ１を構成する。
【００１１】
この場合、このカートリッジケース２（テープカートリッジ１）では、一例として、白色の不透明な樹脂材料を用いて下シェル１１が形成されると共に、可視光線の透過率が高い樹脂材料を用いて上シェル１２が形成されている（本発明における「一対のシェル」のうちの一方を本発明における透過率についての条件に合致するように構成した例）。具体的には、下シェル１１を形成するための樹脂材料としては、着色用の白色の色素をＡＢＳ樹脂に添加した樹脂材料が用いられている。これにより、このカートリッジケース２の下シェル１１では、波長６００ｎｍの可視光線の透過率が０．２％となり、後述するようにテープ端の誤検出を招くおそれのある波長９００ｎｍの赤外線の透過率が、一例として２．０％となっている。また、下シェル１１には、後述するようにしてテープ端検出用の光を出力する光源Ｌ１（図２参照）をケース本体３内に挿入するための挿入用孔１１ａが形成されると共に、カートリッジケース２内で記録再生装置によって射出されたテープ端検出用の光を通過させるための２つの開口部１１ｂが形成されている。
【００１２】
一方、上シェル１２を形成するための樹脂材料としては、赤外線吸収色素（一例として、昭和電工社製「カレンズ」）と着色用の緑色の色素との２種類の色素をＡＳ（Acrylonitrile Styrene ）樹脂に添加した樹脂材料が用いられている。この場合、着色用の色素を添加していないＡＳ樹脂は、可視光線の透過率が高い（透明度が高い）ため、緑色の色素をＡＳ樹脂に僅かに添加した樹脂材料用いて形成した上シェル１２では、波長６００ｎｍの可視光線の透過率が７１％となっている。また、このカートリッジケース２では、ＡＳ樹脂に対する上記の赤外線吸収色素の添加量を適宜調整することにより、テープ端の誤検出を招くおそれのある波長９００ｎｍの赤外線の透過率が、一例として４５％（本発明における「０％以上５０％以下の範囲」の一例）となっている。なお、本明細書では、後述するように、テープカートリッジ１（カートリッジケース２）をビデオカメラ等の記録再生装置に装填した際に、テープ残量を確認するための確認用窓と対向する側のシェルを「上シェル」とする。
【００１３】
フロントリッド４ａ、アッパーリッド４ｂおよびインナーリッド４ｃは、一例として、灰色の不透明な樹脂材料を用いて形成されて、ケース本体３に対して回動可能に取り付けられることにより、ケース本体３の外に引き出されている磁気テープ９を保護する。この場合、各リッド４ａ〜４ｃを形成するための樹脂材料としては、着色用の灰色の色素をＡＢＳ樹脂に添加した樹脂材料が用いられている。これにより、このカートリッジケース２では、各リッド４ａ〜４ｃの各々において、波長６００ｎｍの可視光線の透過率が０％となり、かつ、波長９００ｎｍの赤外線の透過率が、一例として１．５％となっている。なお、各リッド４ａ〜４ｃを形成する材料は樹脂材料に限定されず、例えば各種金属材料で形成することもできる。
【００１４】
リール５は、灰色の不透明な樹脂材料を用いて一体形成された下フランジ５ａおよびハブ５ｂと、可視光線の透過率が高い樹脂材料を用いて形成されてハブ５ｂに溶着された上フランジ５ｃとを備えて磁気テープ９を巻回可能に構成されている。この場合、下フランジ５ａおよびハブ５ｂを形成するための樹脂材料としては、着色用の灰色の色素をＰＯＭ（polyoxymethylene））樹脂に添加した樹脂材料が用いられている。これにより、このカートリッジケース２の下フランジ５ａでは、波長６００ｎｍの可視光線の透過率が０％となり、かつ、波長９００ｎｍの赤外線の透過率が、一例として０．３％となっている。一方、上フランジ５ｃを形成するための樹脂材料としては、着色用の色素が添加されていないＡＳ樹脂が用いられている。この場合、着色用の色素が添加されていないＡＳ樹脂は、可視光線の透過率が高い（透明度が高い）ため、このＡＳ樹脂を用いて形成した上フランジ５ｃでは、波長６００ｎｍの可視光線の透過率が８９％となっている。また、この上フランジ５ｃには、上記の赤外線吸収色素が添加されていないため、波長９００ｎｍの赤外線の透過率が、一例として８９％となっている。
【００１５】
リールブレーキ６は、下シェル１１および上シェル１２の間に挟み込まれるようにしてケース本体３内に収容されて、記録再生装置（図示せず）によってケース本体３内でスライドさせられることにより、ケース本体３内における両リール５，５の回動を規制または許容する。光カバー７は、無着色のＡＳ樹脂や、ＰＳ（Poly Styrene）樹脂でキャップ状に形成されて、下シェル１１に形成された挿入用孔１１ａに挿入されることによって挿入用孔１１ａを閉塞して、塵埃の侵入を阻止する。誤消去防止プラグ８は、下シェル１１および上シェル１２の間に挟み込まれるようにしてケース本体３内に収容されて、ケース本体３内でスライドさせられることにより、磁気テープ９に対する記録データの記録を規制または許容する。磁気テープ９は、本発明におけるテープ状情報媒体の一例であって、その長手方向における両端部には、テープ端部を光学的に検出させるための半透明のリーダーテープ（図示せず）がそれぞれ配設されている。
【００１６】
一方、この種のテープカートリッジに対する記録データの記録再生が可能に構成された記録再生装置では、磁気テープ９のテープ端を光学的に検出するテープ端検出部（図示せず）を備えている。具体的には、図２に示すように、テープ端検出部は、テープ端検出用の光（波長８００ｎｍ以上９００ｎｍ以下の範囲内の赤外線：一例として、波長９００ｎｍの赤外線）を射出する光源Ｌ１と、挿入用孔１１ａ内において光源Ｌ１から射出されてカートリッジケース２内の光路Ｒ１，Ｒ２を通過して開口部１１ｂから矢印Ａの向きでカートリッジケース２外に射出される光を検出する受光素子Ｌ２と、受光素子Ｌ２による光の受光量に基づいてテープ端を検出する判定部（図示せず）とを備えている。
【００１７】
この場合、前述したように、磁気テープ９における長手方向の両端部には、半透明のリーダーテープがそれぞれ配設されている。このため、例えば、図２における右側のリール５に磁気テープ９が巻き取られている状態（同図の左側においてリーダーテープが露出している状態）では、挿入用孔１１ａ内において射出された光が光路Ｒ１を通過し、位置Ｐ１ｂにおいてリーダーテープを透過した後に、同図の左側の開口部１１ｂからカートリッジケース２の外に射出される。この結果、同図の左側の受光素子Ｌ２によってテープ端検出用の光が受光される。また、この際には、右側のリール５に巻き取られた磁気テープ９によって光路Ｒ２を通過しようとする光が位置Ｐ２ａにおいて遮光される結果、同図の右側の開口部１１ｂからは光が射出されずに、結果として、同図の右側の受光素子Ｌ２によってテープ端検出用の光が受光されない状態となる。したがって、テープ端検出部は、両受光素子Ｌ２による光の検出状態に基づき、この例では、同図の右側のリール５に磁気テープ９が巻き取られている（同図の左側においてテープ端が露出している）と判別する。
【００１８】
このテープカートリッジ１の使用に際しては、まず、図示しない収容ケースから取り出したテープカートリッジ１を例えばビデオカメラ等の記録再生装置に装填する。この際には、記録再生装置におけるローディング機構によってテープカートリッジ１が装置内部に引き込まれてカートリッジケース２から磁気テープ９が引き出される。次に、テープ送り機構が両リール５，５を所定の回転速度で回転させることによってテープ送りを開始すると共に、制御部が磁気ヘッドを介して磁気テープ９に映像データを記録する。この場合、この種の記録再生装置のなかには、装置内に装填したテープカートリッジ１を取り出すことなくテープ残量を目視可能とするために確認用窓が設けられたタイプの装置が存在する。したがって、テープカートリッジ１に対する映像データの記録時には、可視光線および赤外線を含む各種波長の光が確認用窓を透過して装置内に侵入するため、前述したように、このテープカートリッジ１では、テープ端の誤検出を回避するために、波長９００ｎｍの赤外線の透過率が、一例として、４５％となるように上シェル１２が形成されている。
【００１９】
一方、磁気テープ９に対する映像データの記録が進むにつれ、図２における右側のリール５から左側のリール５に磁気テープ９が巻き取られた際には、挿入用孔１１ａ内において射出された光が光路Ｒ２を通過して位置Ｐ２ｂにおいてリーダーテープを透過した後に、同図の右側の開口部１１ｂからカートリッジケース２の外に射出される。この結果、同図の右側の受光素子Ｌ２によってテープ端検出用の光が受光される。また、この際には、左側のリール５に巻き取られた磁気テープ９によって光路Ｒ１を通過しようとする光が位置Ｐ１ａにおいて遮光される結果、同図の左側の開口部１１ｂからは光が射出されずに、結果として、同図の左側の受光素子Ｌ２によってテープ端検出用の光が受光されない状態が維持される。したがって、テープ端検出部は、両受光素子Ｌ２による光の検出状態に基づき、この例では、同図の左側のリール５に磁気テープ９が巻き取られた（同図の右側においてテープ端が露出している）と判別する。したがって、映像データを記録すべき磁気テープ９が存在しないと判別した制御部がテープ送り機構を停止させて映像データの記録処理を終了する。これにより、テープカートリッジ１に対する映像データの記録が完了する。
【００２０】
次に、上シェル１２の赤外線および可視光線の透過率と、テープ端検出エラーの発生およびテープカートリッジの美観との関係について、図面を参照して説明する。
【００２１】
まず、赤外線吸収色素（一例として、昭和電工社製「カレンズ」）、および緑色の色素のＡＳ樹脂への添加量を適宜変更することにより、波長９００ｎｍの赤外線の透過率、および波長６００ｎｍの可視光線の透過率が相違する実施例１〜６および比較例１〜５の上シェルを製作する。なお、各実施例および各比較例の上シェルにおける赤外線および可視光線の透過率については、図３に示す。
【００２２】
次に、製作した各実施例および各比較例の上シェルを使用してテープカートリッジを製作し、製作した各テープカートリッジについて、エラーの発生状況を検査した。具体的には、テープ残量確認用窓が設けられた記録再生装置を用いて晴天の日中に屋外で各実施例および各比較例のテープカートリッジを使用して映像の録画を行った。この際に、記録再生装置に対する装填、録画および記録再生装置からの取り出しの一連の行為を１０回に亘って繰り返し、テープ端の誤検出に起因するエラーが発生することなく正常に映像データを記録できたものを「○」、１０回のうちの１〜２回程度においてテープ端の誤検出に起因するエラーが発生したものを「△」、１０回のうちの３回以上においてテープ端の誤検出に起因するエラーが発生したものを「×」として同図に示す。また、各実施例および各比較例のテープカートリッジについて、その美観の善し悪し（透明感の有無）を検査した。この場合、透明感があり、カートリッジケースを介して内部のリール５等を目視できたものを「○」、周囲の明るさによってはカートリッジケース内のリール等の目視が困難なものを「△」、透明感がなく、十分に明るい状態であってもリール５等の目視が困難なものを「×」として同図に示す。
【００２３】
同図に示すように、波長９００ｎｍの赤外線の透過率が０％以上５０％以下の範囲内となるように上シェルを形成した実施例１〜６および比較例１，２のテープカートリッジでは、記録再生装置に対するテープカートリッジの装填時から映像の録画中までにおいて、テープ端の誤検出に起因するエラーが生じることなく、正常な記録再生が可能であった。これに対して、波長９００ｎｍの赤外線の透過率を５５％（波長９００ｎｍの赤外線の透過率が５０％を超えている構成の一例）となるように上シェルを形成した比較例３，５のテープカートリッジでは、１０回に亘る「装填、録画および取り出し」の行為のうちの１〜２回において、テープ端の誤検出に起因するエラーが生じて正常な記録再生を行うことができなかった。また、波長９００ｎｍの赤外線の透過率を６０％（波長９００ｎｍの赤外線の透過率が５０％を超えている構成の他の一例）となるように上シェルを形成した比較例４のテープカートリッジでは、１０回に亘る「装填、録画および取り出し」の行為のうちの８回において、テープ端の誤検出に起因するエラーが生じて正常な記録再生を行うことができなかった。
【００２４】
具体的には、比較例３〜５のテープカートリッジでは、記録再生装置の確認用窓を透過した赤外線が上シェルを透過してカートリッジケース内に侵入することにより、下シェル１１の２つの開口部１１ｂから光が射出されて両受光素子Ｌ２，Ｌ２によって赤外線が受光される。このため、テープ端検出部は、カートリッジケース内の左側および右側の双方においてリーダーテープ（すなわち、テープ端）が露出している（左右両リール５，５のいずれにも磁気テープ９が存在しない）と判定して、磁気テープ９に対する記録再生処理を規制して図示しないメッセージ表示部にエラーメッセージを表示させる。
【００２５】
また、比較例３〜５のテープカートリッジに対して映像データを記録している状態（例えば、両リール５，５に対してほぼ同量の磁気テープ９が巻回された状態）において、カートリッジケース内に侵入してた光がいずれかの受光素子Ｌ２によって検出されたときには、テープ端検出部が、磁気テープ９の残量がなくなったと誤判定して磁気テープ９に対する記録再生処理を停止させる。このように、赤外線の透過率が５０％を超えている比較例３〜５のテープカートリッジでは、カートリッジケース２内に侵入した光に起因して各種のエラーが発生した。したがって、波長９００ｎｍの赤外線の透過率が０％以上５０％以下の範囲内となるように上シェルを形成することにより、例えばテープ残量確認用窓が設けられているタイプの記録再生装置を屋外で使用する場合においても、テープ端を誤って検出する事態が回避される。
【００２６】
また、波長６００ｎｍの可視光線の透過率が３５％以上９０％以下の範囲内となるように上シェルを形成した実施例１〜６および比較例３，４のテープカートリッジでは、カートリッジケース内の各リール５（磁気テープ９）の目視が可能で透明感があり、その美観が十分に向上している。これに対して、波長６００ｎｍの可視光線の透過率が３０％（波長６００ｎｍの可視光線の透過率が３５％を下回っている構成の一例）となるように上シェルが形成された比較例１，５のテープカートリッジでは、薄曇りの屋外や、夜間の照明光の下などの比較的暗い環境下において、カートリッジケース内の各リール５（磁気テープ９）の目視が困難で透明感がなく、光透過性を有していない通常のテープカートリッジと同程度の美観であった。また、波長６００ｎｍの可視光線の透過率が２５％（波長６００ｎｍの可視光線の透過率が３５％を下回っている構成の他の一例）となるように上シェルが形成された比較例２のテープカートリッジでは、晴天の日中などの十分に明るい環境下であっても、カートリッジケース内の各リール５（磁気テープ９）の目視が困難で透明感がなく、光透過性を有していない通常のテープカートリッジと同程度の美観であった。
【００２７】
この場合、波長６００ｎｍの可視光線の透過率が９０％を超えるように上シェルを形成しようとしたときには、その透明度が十分に高い高価な樹脂材料を使用する必要があるため、上シェル（カートリッジケース）の製造コストが高騰するおそれがある。また、ＡＳ樹脂やＡＢＳ樹脂等を採用して射出成形品を製作する場合には、加熱処理によって生じる「焼け」の発生等に起因して、波長６００ｎｍの可視光線の透過率が９０％を超える上シェルを製作するのが事実上不可能となっている。さらに、波長９００ｎｍの赤外線の透過率が０％以上５０％以下の範囲内となるように上シェルを形成する場合においては、波長６００ｎｍの可視光線の透過率についても９０％を超える透過率とするのが極めて困難となる。したがって、波長６００ｎｍの可視光線の透過率が３５％以上９０％以下の範囲内となるように上シェルを形成することにより、その透明感を十分に向上させつつ、製造コストの高騰を回避することが可能となる。
【００２８】
このように、このカートリッジケース２によれば、波長９００ｎｍの赤外線の透過率が０％以上５０％以下の範囲内で、波長６００ｎｍの可視光線の透過率が３５％以上９０％以下の範囲内となるように上シェル１２を樹脂材料で形成したことにより、可視光線の透過率を高くしたことでカートリッジケース２の透明感を向上させて美観を十分に向上させることができるばかりでなく、赤外線の透過率を低下させたことでカートリッジケース２内への赤外線の侵入が阻止される結果、記録再生処理時にテープ端が誤検出される事態を回避して安定した記録再生を行うことができる。また、遮光部材を貼付する煩雑な作業が不要となる分だけ、カートリッジケース２（テープカートリッジ１）の製造コストを低減することができると共に、カートリッジケース内に遮光部材を貼付した従来のテープカートリッジよりも、その美観を十分に向上させることができる。
【００２９】
また、このテープカートリッジ１によれば、上記のカートリッジケース２における収容空間Ｓ１に磁気テープ９を収容して構成したことにより、磁気テープ９に対して安定した記録再生が可能なテープカートリッジ１を提供することができる。
【００３０】
なお、本発明は、上記の構成および方法に限定されない。例えば、上シェル１２のみならず、下シェル１１についても波長６００ｎｍの可視光線の透過率が３５％以上９０％以下の範囲内で波長９００ｎｍの赤外線の透過率が０％以上５０％以下の範囲となるようにカートリッジケースを形成することもできる。また、下シェル１１および上シェル１２のみならず、フロントリッド４ａ、アッパーリッド４ｂおよびインナーリッド４ｃや、リール５の下フランジ５ａについても可視光線の透過率が３５％以上９０％以下の範囲内で赤外線の透過率が０％以上５０％以下の範囲となるように形成することができる。
【００３１】
これらの各構成を採用した場合、前述したテープカートリッジ１と同様にして、可視光線の透過率を高くしたことでテープカートリッジの美観を十分に向上させることができるばかりでなく、赤外線の透過率を低下させたことでカートリッジケース内への赤外線の侵入を阻止できる結果、テープカートリッジ１に対する記録再生処理時においてテープ端が誤って検出される事態を一層確実に回避して安定した記録再生を行うことができる。また、遮光部材を貼付する煩雑な作業が不要となる分だけ、テープカートリッジ１の製造コストを低減することができると共に、カートリッジケース内に遮光部材を貼付した従来のテープカートリッジよりも、その美観を十分に向上させることができる。
【００３２】
また、２つのリール５，５を有するテープカートリッジ１を例に挙げて説明したが、本発明に係るカートリッジケースおよびテープカートリッジは２リール方式のテープカートリッジのみならず、単一のリールがカートリッジケース内に収容された１リール方式のテープカートリッジおよびカートリッジケースがこれに含まれる。
【図面の簡単な説明】
【００３３】
【図１】テープカートリッジ１の外観斜視図である。
【図２】テープ端検出時における検出用の光の光路を説明するためのケース本体３の平面図である。
【図３】波長９００ｎｍの赤外線の透過率および波長６００ｎｍの可視光線の透過率と、テープ端の誤検出に伴うエラーの発生およびテープカートリッジの美観との関係を説明するための説明図である。
【符号の説明】
【００３４】
１  テープカートリッジ
２  カートリッジケース
３  ケース本体
４ａ  フロントリッド
４ｂ  アッパーリッド
４ｃ  インナーリッド
５  リール
９  磁気テープ
１１  下シェル
１１ａ  挿入用孔
１１ｂ  開口部
１２  上シェル
Ｓ１  収容空間
【図１】
2008059710.tif 000003
【図２】
2008059710.tif 000004
【図３】
2008059710.tif 000005